【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
複数種類の図柄を可変表示する複数のリールと、
前記リールの回転を開始させる契機となるスタート操作手段と、
前記リールの回転を停止させる契機となる停止操作手段と、
役決定を行う役決定手段と、
前記役決定手段による役決定結果と前記停止操作手段の操作とに基づき前記複数のリールの駆動を制御するリール制御手段と、
前記停止操作手段の操作順序を報知する報知制御手段と、
前記報知制御手段による報知遊技の実行可能数を増加させる特典を付与する特典付与手段と、を備え、
前記役決定手段により役決定を行う際には、遊技状況に対応する抽選テーブルを用いるように構成され、
前記遊技状況として、特定役に対応する図柄組合せが停止表示されることにより設定される第１の遊技状況と、前記特定役が決定されていない第２の遊技状況と、前記特定役が既に決定されかつ当該特定役に対応する図柄組合せが停止表示されていない第３の遊技状況を有し、
所定の再遊技役と当該所定の再遊技役とは異なる他の再遊技役とが重複当選する特定再遊技役を有し、当該特定再遊技役は前記第３の遊技状況において決定される場合を有し、
前記リール制御手段は、
前記特定再遊技役が決定されたときの遊技において、前記停止操作手段が特定の順序で操作された場合には、前記所定の再遊技役に対応する図柄組合せを停止表示可能に制御し、
前記特定再遊技役が決定されたときの遊技において、前記停止操作手段が前記特定の順序とは異なる所定の順序で停止操作された場合には、前記他の再遊技役に対応する図柄組合せを停止表示可能に制御し、
前記第３の遊技状況において、前記特定再遊技役が決定された場合には、前記特典が付与可能に構成され、前記特定の順序を遊技者に報知することにより前記所定の再遊技役に対応する図柄組合せが停止表示可能となることを特徴とするスロットマシン。
【手続補正２】
【補正対象書類名】明細書
【補正対象項目名】００１５
【補正方法】変更
【補正の内容】
【００１５】
本発明はこのような事情に鑑みてなされたもので、特定役の当選が持ち越された遊技状況中に行われる遊技の興趣を効果的に向上させることが可能なスロットマシンを提供することを目的とする。
【手続補正３】
【補正対象書類名】明細書
【補正対象項目名】００１７
【補正方法】変更
【補正の内容】
【００１７】
本発明に係るスロットマシンは、複数種類の図柄を可変表示する複数のリールと、リールの回転を開始させる契機となるスタート操作手段（例えば、スタートレバー２５）と、リールの回転を停止させる契機となる停止操作手段（例えば、ストップスイッチ２６ａ，２６ｂ，２６ｃ）と、役決定を行う役決定手段と、役決定手段による役決定結果と停止操作手段の操作とに基づき複数のリールの駆動を制御するリール制御手段と、停止操作手段の操作順序を報知する報知制御手段（例えば、アシスト演出手段１１１）と、報知制御手段による報知遊技の実行可能数を増加させる特典を付与する特典付与手段（例えば、特典付与選択手段１１２）と、を備え、役決定手段により役決定を行う際には、遊技状況に対応する抽選テーブルを用いるように構成され、遊技状況として、特定役（例えば、ＲＢ１またはＲＢ２）に対応する図柄組合せが停止表示されることにより設定される第１の遊技状況と、前記特定役が決定されていない第２の遊技状況と、前記特定役が既に決定されかつ当該特定役に対応する図柄組合せが停止表示されていない第３の遊技状況を有し、所定の再遊技役（例えば、再遊技役２）と当該所定の再遊技役とは異なる他の再遊技役（例えば、再遊技役３〜５）とが重複当選する特定再遊技役を有し、当該特定再遊技役は前記第３の遊技状況において決定される場合を有し、リール制御手段は、前記特定再遊技役が決定されたときの遊技において、停止操作手段が特定の順序で操作された場合には、前記所定の再遊技役に対応する図柄組合せを停止表示可能に制御し、前記特定再遊技役が決定されたときの遊技において、停止操作手段が前記特定の順序とは異なる所定の順序で停止操作された場合には、前記他の再遊技役に対応する図柄組合せを停止表示可能に制御し、前記第３の遊技状況において、前記特定再遊技役が決定された場合には、前記特典が付与可能に構成され、前記特定の順序を遊技者に報知することにより前記所定の再遊技役に対応する図柄組合せが停止表示可能となることを特徴とする。
このような特徴構成のスロットマシンによれば、特定役が決定されていない第２の遊技状況（特定役の当選が持ち越される前の遊技状況）と、特定役が既に決定されているが成立していない第３の遊技状況（特別役の当選が持ち越された遊技状況）とで異なる遊技性を実現し、特定役の当選が持ち越された遊技状況中に行われる遊技の興趣を効果的に向上させることが可能となる。
参考発明に係るスロットマシンは、複数種類の図柄を可変表示する複数のリールと、複数のリールの回転開始及び回転停止に関するリール操作を受け付ける操作手段と、所定の役決定開始条件が満足されたことを契機として役決定を行う役決定手段と、操作手段が受け付けたリール操作と役決定手段による前記役決定の結果とに基づき複数のリールの駆動を制御するリール制御手段と、所定の遊技状態変更条件（例えば、条件Ａ〜Ｃのいずれか）が満足されたことを契機として、複数の遊技状態（例えば、非ＲＴ、ＢＢ、ＲＴの各遊技状態）の間で遊技状態を移行させる遊技状態制御手段と、を備え、複数の遊技状態のうちの１つとして、遊技者にとって通常よりも有利な遊技条件が設定される契機となる所定の特別役（例えば、ＲＢ１）の決定が行われる特別遊技状態（例えば、ＢＢ遊技状態）が設けられており、役決定手段は、特別遊技状態にあって所定の特別役が決定されていない期間内においては、所定の特別役よりも成立を優先される所定の役（例えば、再遊技役１）が所定の特別役と重複して決定されるという条件の下で役決定を行い、特別遊技状態にあって所定の特別役が既に決定されかつ当該所定の特別役が成立していない期間内においては、所定の特別役よりも成立を優先される所定の再遊技役（例えば、再遊技役２）が所定の高確率で決定されるという条件の下で役決定を行うように構成されており、所定の再遊技役は、操作手段が受け付けた回転停止に関するリール操作の順序が特定の順序であることが、当該所定の再遊技役を構成する対応図柄を特定位置（例えば、有効ライン上）に停止表示させるリール制御が実行されるための必要条件として設定された役であり、第２の期間内において所定の再遊技役が決定された場合に、特定の順序を遊技者に報知する報知手段（例えば、アシスト演出手段）と、所定の再遊技役が決定されたことを契機として、遊技者に所定の特典（例えば、アシスト可能回数の上乗せ）を付与するための選択を行う特典付与選択手段を備えている、ことを特徴とする。
【手続補正４】
【補正対象書類名】明細書
【補正対象項目名】００２１
【補正方法】変更
【補正の内容】
【００２１】
参考発明に係るスロットマシンにおいて、報知手段は、第２の期間とは異なる別の期間内（例えば、所定の再遊技役が決定される可能性のある、第２の期間を除く任意の期間）において所定の再遊技役が決定された場合には、特定の順序とは異なる別の順序を遊技者に報知するように構成することができる。
【手続補正５】
【補正対象書類名】明細書
【補正対象項目名】００２３
【補正方法】変更
【補正の内容】
【００２３】
また、参考発明に係るスロットマシンでは、役決定手段による役決定において、所定の再遊技役は他の再遊技役（例えば、再遊技役４，５）と重複して決定されるように設定され、他の再遊技役を構成する対応図柄は、操作手段が受け付けた回転停止に関するリール操作のタイミングに関わらず、所定位置（例えば、有効ライン上。特定位置と同じである場合と異なる場合とを含む）に停止表示され得るように複数のリール上に配列されるように構成することができる。
【手続補正６】
【補正対象書類名】明細書
【補正対象項目名】００２５
【補正方法】変更
【補正の内容】
【００２５】
また、参考発明に係るスロットマシンでは、特別遊技状態において、所定の特別役とは異なる別の特別役についての決定も行われるように構成することができる。
【手続補正７】
【補正対象書類名】明細書
【補正対象項目名】００２７
【補正方法】変更
【補正の内容】
【００２７】
また、参考発明に係るスロットマシンでは、所定の特別役及び別の特別役のうちの少なくとも一方の特別役において、当該特別役を構成する対応図柄を、特別遊技状態の遊技中に操作手段が受け付けた回転停止に関するリール操作のタイミングに関わらず、所定位置に停止表示され得るように複数のリール上に配列することができる。
【手続補正８】
【補正対象書類名】明細書
【補正対象項目名】００２９
【補正方法】変更
【補正の内容】
【００２９】
また、参考発明に係るスロットマシンにおいて、前記所定の役は、当該所定の役を構成する対応図柄が前記所定の再遊技役を構成する対応図柄とは異なる別の再遊技役とされている、とすることができる。
【手続補正９】
【補正対象書類名】明細書
【補正対象項目名】００３１
【補正方法】変更
【補正の内容】
【００３１】
また、参考発明に係るスロットマシンは、特別遊技状態にあって所定の特別役が既に決定されかつ当該所定の特別役が成立していない第２の期間内においては、複数のリールのうちの所定の１つのリール上の図柄のみが相異なる各対応図柄によりそれぞれ構成される複数の所定の小役のうち、少なくとも１つを除くその余の所定の小役を決定し、当該その余の所定の小役が決定された遊技において、決定された当該その余の所定の小役を成立させることが可能なタイミングで回転停止に関するリール操作がなされた場合には、当該その余の所定の小役を所定の特別役よりも優先して成立させるように構成することができる。
【手続補正１０】
【補正対象書類名】明細書
【補正対象項目名】００３３
【補正方法】変更
【補正の内容】
【００３３】
本発明に係るスロットマシンによれば、特定役の当選が持ち越された遊技状況中に行われる遊技の興趣を効果的に向上させることが可能となる。